(57)【要約】【課題】狭い場所でも安全かつ確実にケーブル１を挿抜することが可能なケーブル挿抜工具１０を提供する。【解決手段】ケーブル挿抜工具１０は、ケーブル１を挿抜するピンセット型の工具であって、弾性的に接近及び離間が可能になされた２股状の工具本体に絶縁が施され、その先端部１１ａ，１１ｂが工具本体の長手方向に対して略直角に曲折されている。これにより、狭い場所でも安全かつ確実にケーブル１を挿抜することが可能である。【選択図】図１
2019155560.tif 000002
【特許請求の範囲】
【請求項１】
ケーブルを挿抜するピンセット型の工具であって、
弾性的に接近及び離間が可能になされた２股状の工具本体に絶縁が施され、その先端部が前記工具本体の長手方向に対して略直角に曲折されていることを特徴とするケーブル挿抜工具。
【請求項２】
前記先端部同士が近接可能に内向に曲折されていることを特徴とする請求項１に記載のケーブル挿抜工具。
【請求項３】
前記工具本体の対向する一方面のみに照明部が取り付けられていることを特徴とする請求項１又は２に記載のケーブル挿抜工具。
【請求項４】
前記工具本体の２股部に楔形部材が取り付けられていることを特徴とする請求項１から３のいずれか１項に記載のケーブル挿抜工具。
【発明の詳細な説明】
【技術分野】
【０００１】
本発明は、ケーブル挿抜工具に関する。
【背景技術】
【０００２】
通信設備内のケーブルの交換には、ケーブルコネクタの挿入／抜去（挿抜）が必要である。従来、この作業は作業者の手作業で行われてきた。
【先行技術文献】
【非特許文献】
【０００３】
【非特許文献１】“ＭＵプラグ抜き工具”、［平成３０年３月５日検索］、インターネット＜URL：https://taiyo-tsushin.com/optical-wiring-parts/6c-mc/＞
【発明の概要】
【発明が解決しようとする課題】
【０００４】
図９に示すように、通信設備内には多数のケーブル１が密集している箇所がある。このような箇所では、対象の通信設備の裏面バックワイヤーボードＢまでの間隔が広く（約２０ｃｍ）、ケーブル１は固く動かないため、例えば、旧ケーブル１ａを新ケーブル１ｂに切り替える場合、それらのコネクタ周りの作業スペースが狭くなってしまう。
【０００５】
そのため、ケーブル１の挿抜が容易ではなかった。具体的には、図１０及び図１１に示すように、手が邪魔で視界の確保ができない、整理の際に他のケーブル１へ影響をあたえる、ケーブル１を整理しても安全な作業スペースが取れないといった問題があった。
【０００６】
本発明は、上述した従来の技術に鑑み、狭い場所でも安全かつ確実にケーブルを挿抜することが可能なケーブル挿抜工具を提供することを目的とする。
【課題を解決するための手段】
【０００７】
上記目的を達成するため、第１の態様に係る発明は、ケーブルを挿抜するピンセット型の工具であって、弾性的に接近及び離間が可能になされた２股状の工具本体に絶縁が施され、その先端部が前記工具本体の長手方向に対して略直角に曲折されていることを要旨とする。
【０００８】
第２の態様に係る発明は、第１の態様に係る発明において、前記先端部同士が近接可能に内向に曲折されていることを要旨とする。
【０００９】
第３の態様に係る発明は、第１又は第２の態様に係る発明において、前記工具本体の対向する一方面のみに照明部が取り付けられていることを要旨とする。
【００１０】
第４の態様に係る発明は、第１から第３のいずれか１つの態様に係る発明において、前記工具本体の２股部に楔形部材が取り付けられていることを要旨とする。
【発明の効果】
【００１１】
本発明によれば、狭い場所でも安全かつ確実にケーブルを挿抜することが可能なケーブル挿抜工具を提供することが可能である。
【図面の簡単な説明】
【００１２】
【図１】本発明の実施の形態におけるケーブル挿抜工具の斜視図である。
【図２】本発明の実施の形態におけるケーブル挿抜工具の正面図である。
【図３】本発明の実施の形態におけるケーブル挿抜工具の使用例を示す斜視図である。
【図４】本発明の実施の形態におけるケーブル挿抜工具の製造方法の説明図である。
【図５】本発明の実施の形態におけるケーブル挿抜工具の照明部の説明図である。
【図６】本発明の実施の形態における他のケーブル挿抜工具の斜視図である。
【図７】本発明の実施の形態における他のケーブル挿抜工具の使用例を示す斜視図である。
【図８】本発明の実施の形態におけるケーブル挿抜工具の適用事例の説明図である。
【図９】従来技術の課題の説明図である。
【図１０】従来技術の課題の説明図である。
【図１１】従来技術の課題の説明図である。
【発明を実施するための形態】
【００１３】
以下、本発明の実施の形態について図面を参照して詳細に説明する。ただし、図面は模式的なものであり、各構成部品の厚みと平面寸法との関係などは現実のものとは異なることに留意すべきである。したがって、具体的な厚みや寸法は以下の説明を参酌して判断すべきものである。また、図面の相互間においても互いの寸法の関係や比率が異なる部分が含まれていることは勿論である。
【００１４】
＜経緯＞
ケーブル１の挿抜を手作業で行うと安全性に欠ける。安全性を高めるためには、コネクタをしっかり掴んで挿抜ができること、狭いスペースでも使用でき視界が確保できること、引っ掛け等による他のケーブル１への影響の危険性がないこと、絶縁対策が確実にできていることが必要である。通常のピンセットをケーブル挿抜工具として使用した場合、ケーブル１のコネクタ形状に合わずピンセットが滑る、ケーブル１のコネクタ部分まで届かない、絶縁対策がないためショートする、ピンセットの金属部分でケーブル１の被覆部を痛めるといった問題があり、安全性に欠けることが分かった。その他にも器具、工具商品カタログ等では安全に作業できる工具はないため、専用のケーブル挿抜工具を作成することを検討した。
【００１５】
＜ケーブル挿抜工具＞
図１は、本発明の実施の形態におけるケーブル挿抜工具１０の斜視図である。このケーブル挿抜工具１０は、弾性的に接近及び離間が可能になされピンセット型の工具である。具体的には、工具本体は、平面視で略Ｖ字状に形成され、２股に分岐した一対の把持部１３ａ，１３ｂを有する。一対の把持部１３ａ，１３ｂから細長い挟持部１２ａ，１２ｂが延設され、その先端部１１ａ，１１ｂが側面視で略Ｌ字状に曲折されている。通常、先端部１１ａ，１１ｂは適度な間隔で開いている。使用者が把持部１３ａ，１３ｂを把持して内側に力を加えると、先端部１１ａ，１１ｂを適度な力で閉じることができる。
【００１６】
図２は、本発明の実施の形態におけるケーブル挿抜工具１０の正面図である。図２に示すように、ケーブル挿抜工具１０を正面から見た場合、先端部１１ａ，１１ｂ同士が近接可能に内向に曲折され、ハの字に形成されている。これにより、コネクタに形成された溝（後述する。）を先端部１１ａ，１１ｂでしっかり掴んでケーブル１の挿抜を行うことが可能である。
【００１７】
＜使用例＞
図３は、本発明の実施の形態におけるケーブル挿抜工具１０の使用例を示す斜視図である。このケーブル挿抜工具１０は、ケーブル１などのコネクタ２を掴んで挿抜を行うときに使用する。ケーブル１は、通信設備に接続されているケーブルであり、対象装置３の裏面に接続されている。コネクタ２の溝２ａとの関係で、横からでないとコネクタ２を掴めないため、工具本体の先端部１１ａ，１１ｂを曲げ、コネクタ２の溝２ａに合うように先端部１１ａ，１１ｂを加工している。また、金属製の工具本体に絶縁を施す必要があるため、収縮チューブ等の緩衝材を取り付け、絶縁塗料等の塗装を行っている。
【００１８】
＜製造方法＞
図４は、本発明の実施の形態におけるケーブル挿抜工具１０の製造方法の説明図である。ここでは、図４（ａ）に示すように、約３０ｃｍ程度の金属製のピンセット型の工具を用いている。図４（ｂ）に示すように、この工具の先端部１１ａ，１１ｂを曲げ、コネクタ２の溝２ａに合うように先端部１１ａ，１１ｂの幅を削る。次いで、図４（ｃ）に示すように、収縮チューブ等の緩衝材を先端部１１ａ，１１ｂと把持部１３ａ，１３ｂに被せる。例えば、緩衝材は収縮チューブのような熱を加えて収縮する絶縁性の高いチューブである。次いで、図４（ｄ）に示すように、挟持部１２ａ，１２ｂに絶縁塗料の塗装を行う。この例では、挟持部１２ａ，１２ｂの径に合う適当な収縮チューブがなかったため、挟持部１２ａ，１２ｂに絶縁塗料の塗装を行っている。最後に、図４（ｅ）に示すように、工具本体の２股部に楔形部材１６を取り付け、把持部１３ａ，１３ｂの開き幅を調整する。
【００１９】
＜コネクタ＞
本発明の実施の形態におけるケーブル挿抜工具１０の対象コネクタ２は、例えば、Ｃ-Ｇ６ＦＣＳである。Ｃ-Ｇ６ＦＣＳは、挿抜方向に対して略直角に溝２ａが形成されている。この溝２ａは、コネクタ２を組立てた際に形成される溝であり、表面に２つ、裏面に１つ形成されている。もちろん、溝２ａの数、幅、深さ、形状などは様々あり、特に限定されるものではない。ケーブル挿抜工具１０の先端部１１ａ，１１ｂは、コネクタ２の溝２ａに合うように適宜加工することが可能である。
【００２０】
＜照明＞
本発明の実施の形態におけるケーブル挿抜工具１０を実際に切替えする装置で使用したところ、挿抜時に挿抜先が暗く見えにくいのが分かった。それに伴い、新たに工具の先に小型の照明部を取り付けることとした。
【００２１】
図５は、本発明の実施の形態におけるケーブル挿抜工具１０が備える照明部１４の説明図である。図５に示すように、工具本体の対向する一方面（把持部１３ａの内側面）のみに照明部１４や電池１５などの照明装置が取り付けられている。ここでは、ケーブル挿抜工具１０をできるだけ軽量化するために、電池１５と照明部１４には小型の物を使用した。例えば、電池１５にはボタン電池、照明部１４にはＬＥＤライトを使用してもよい。また、電池１５と照明部１４は、ケーブル１のコネクタ２を掴む際に影響のない大きさ（工具本体の幅に収まる大きさ）とした。これにより、照明部１４で暗い箇所も明るく光１４ａを照らすことが可能となる。また、照明部１４をＯＮ／ＯＦＦするためのスイッチを把持部１３ａの内側面に取り付けることができるため、ＯＮ／ＯＦＦの操作が容易である。
【００２２】
＜成果＞
以上のように、本発明の実施の形態におけるケーブル挿抜工具１０によれば、最低限のケーブル整理で狭いスペースでも安全に作業可能である。また、手元が暗い場所でも明るく光１４ａを照らし、作業を行うことが可能である。また、しっかりコネクタ２を掴んでチャタリングを防止することが可能である。また、引っ掛け等による誤抜去のリスクを回避することが可能である。また、狭隘部分の作業で視界のスペースを確保し、作業を行うことが可能である。
【００２３】
＜変形例＞
ケーブル挿抜工具１０を作成するに当たり、対象装置３の裏面バックワイヤーボードＢを調査した結果、コネクタ２を掴める装置と掴めない装置が有った。例えば、ケーブル１が密集している場合は、ケーブル１の横からケーブル挿抜工具１０が入らない。
【００２４】
図６は、本発明の実施の形態における他のケーブル挿抜工具２０の斜視図である。図６に示すように、工具本体の先端近くの狭持部２２ａ，２２ｂに適当な長さの緩衝部材２１ａ，２１ｂを取り付けてもよい。この緩衝部材２１ａ，２１ｂは、例えば、透明のビニールホースを長手方向に半分に切断し、その切断面同士が対向するように配置したものである。把持部２３ａ，２３ｂを把持して内側に力を加えると、緩衝部材２１ａ，２１ｂを適度な力で閉じることができる。このケーブル挿抜工具２０の先端部は曲げられていない。絶縁を施すために収縮チューブを取り付けている点や、工具本体の２股部に楔形部材１６を取り付けている点は、上記したケーブル挿抜工具１０と同様である。もちろん、このケーブル挿抜工具２０の適当な位置に照明部１４を取り付けてもよい。
【００２５】
図７は、本発明の実施の形態における他のケーブル挿抜工具２０の使用例を示す斜視図である。このケーブル挿抜工具２０は、図７に示すように、ケーブル１を掴んで挿抜を行うときに使用する。緩衝部材２１ａ，２１ｂを取り付けているため、ケーブル１を傷つけず・確実に掴むことができる。ここでは、ケーブル１を掴んで挿抜を行う様子を例示しているが、ケーブル１だけでなくコネクタ２も一緒に掴んだ方がケーブル１への負担がより少なくなる。
【００２６】
＜適用事例＞
図８は、本発明の実施の形態におけるケーブル挿抜工具１０の適用事例の説明図である。以下、図８を用いて、クロック供給装置とＮＷ装置の間に接続されるクロックケーブル切替えの経緯と目的について具体的に説明する。もちろん、この適用事例は単なる例示である。なお、旧Ｎ系、新Ｎ系、０系は現用系を意味し、旧Ｅ系、新Ｅ系、１系は予備系を意味する。
【００２７】
あるビルにおいて、メタル系ケーブルを介して雷サージが流入し、大規模な故障が発生したと仮定する。また、この故障に対処するため、ＮＷ装置のクロックケーブルに絶縁モジュールを挿入することになったと仮定する。本作業にともなうルート変更により、ＮＷ装置のクロックケーブルの切替作業を実施することとなった場合、クロック置換作業工程の概要は以下のＳ１〜Ｓ８の通りである。
（Ｓ１）クロック供給装置［旧Ｅ系］のケーブルをＮＷ装置［１系］から抜去
（Ｓ２）クロック供給装置［旧Ｅ系］を基に、クロック供給装置［新Ｅ系］を位相合わせ
（Ｓ３）置換補助装置の出力ケーブルをＮＷ装置［１系］に挿入
（Ｓ４）クロック供給装置［旧Ｎ系］のケーブルをＮＷ装置［０系］から抜去
（Ｓ５）クロック供給装置［新Ｎ系］を基に、クロック供給装置［新Ｅ系］を位相合わせ
（Ｓ６）クロック供給装置［新Ｎ系］のケーブルをＮＷ装置［０系］へ挿入
（Ｓ７）置換補助装置の位相比較部から出力されている出力ケーブルをＮＷ装置［１系］から抜去
（Ｓ８）クロック供給装置［新Ｅ系］のケーブルをＮＷ装置［１系］へ挿入
この適用事例では、ＮＷ装置裏面での挿抜を計６回／１装置実施する必要がある。本発明の実施の形態におけるケーブル挿抜工具１０をＳ１，Ｓ４のような場面で用いると、ケーブル１が密集しているような狭い場所でも安全かつ確実にクロックケーブルを挿抜することが可能となり、非常に効果的である。もちろん、本発明の実施の形態におけるケーブル挿抜工具１０は、クロックケーブル切替え作業に限らず、狭い場所でも安全かつ確実にケーブル１を挿抜することが必要な様々な保守作業で用いることが可能である。
【００２８】
＜まとめ＞
以上のように、本発明の実施の形態におけるケーブル挿抜工具１０は、ケーブル１を挿抜するピンセット型の工具であって、弾性的に接近及び離間が可能になされた２股状の工具本体に絶縁が施され、その先端部１１ａ，１１ｂが工具本体の長手方向に対して略直角に曲折されている。これにより、狭い場所でも安全かつ確実にケーブル１を挿抜することが可能である。
【００２９】
また、先端部１１ａ，１１ｂ同士が近接可能に内向に曲折されていてもよい。これにより、ケーブル１のコネクタ２に形成された溝２ａを先端部１１ａ，１１ｂでしっかり掴んで挿抜を行うことが可能である。
【００３０】
また、工具本体の対向する一方面のみに照明部１４が取り付けられていてもよい。これにより、照明部１４で暗い箇所も明るく光１４ａを照らすことが可能である。
【００３１】
また、工具本体の２股部に楔形部材１６が取り付けられていてもよい。これにより、把持部１３ａ，１３ｂの開き幅を大きくすることで、挟持力を上げることが可能である。
【００３２】
＜その他の実施の形態＞
上記のように、いくつかの実施の形態について記載したが、開示の一部をなす論述および図面は例示的なものであり、限定するものであると理解すべきではない。この開示から当業者には様々な代替実施の形態、実施例および運用技術が明らかとなろう。
【符号の説明】
【００３３】
１…ケーブル
２…コネクタ
２ａ…溝
３…対象装置
１０…ケーブル挿抜工具
１１ａ，１１ｂ…先端部
１２ａ，１２ｂ…挟持部
１３ａ，１３ｂ…把持部
１４…照明部
１５…電池
１６…楔形部材
【図１】
2019155560.tif 000003
【図２】
2019155560.tif 000004
【図３】
2019155560.tif 000005
【図４】
2019155560.tif 000006
【図５】
2019155560.tif 000007
【図６】
2019155560.tif 000008
【図７】
2019155560.tif 000009
【図８】
2019155560.tif 000010
【図９】
2019155560.tif 000011
【図１０】
2019155560.tif 000012
【図１１】
2019155560.tif 000013
【手続補正書】
【提出日】令和1年5月14日(2019.5.14)
【手続補正１】
【補正対象書類名】特許請求の範囲
【補正対象項目名】全文
【補正方法】変更
【補正の内容】
【特許請求の範囲】
【請求項１】
ケーブルの挿抜方向に対して略直角に溝が形成されたコネクタを掴んで前記ケーブルを挿抜するピンセット型の工具であって、
弾性的に接近及び離間が可能になされた２股状の工具本体に絶縁が施され、その先端部が前記工具本体の長手方向に対して略直角に曲折され、
前記先端部同士が近接可能に内向に曲折され、
前記工具本体は、平面視で略Ｖ字状に形成され、側面視で略Ｌ字状に形成され、かつ正面視で略ハの字に形成されていることを特徴とするケーブル挿抜工具。
【請求項２】
前記工具本体の対向する一方面のみに照明部が取り付けられていることを特徴とする請求項１に記載のケーブル挿抜工具。
【請求項３】
前記工具本体の２股部に楔形部材が取り付けられていることを特徴とする請求項１又は２に記載のケーブル挿抜工具。
【手続補正２】
【補正対象書類名】明細書
【補正対象項目名】０００７
【補正方法】変更
【補正の内容】
【０００７】
上記目的を達成するため、第１の態様に係る発明は、ケーブルの挿抜方向に対して略直角に溝が形成されたコネクタを掴んで前記ケーブルを挿抜するピンセット型の工具であって、弾性的に接近及び離間が可能になされた２股状の工具本体に絶縁が施され、その先端部が前記工具本体の長手方向に対して略直角に曲折され、前記先端部同士が近接可能に内向に曲折され、前記工具本体は、平面視で略Ｖ字状に形成され、側面視で略Ｌ字状に形成され、かつ正面視で略ハの字に形成されているケーブル挿抜工具である。
【手続補正３】
【補正対象書類名】明細書
【補正対象項目名】０００８
【補正方法】削除
【補正の内容】
【手続補正４】
【補正対象書類名】明細書
【補正対象項目名】０００９
【補正方法】変更
【補正の内容】
【０００９】
第２の態様に係る発明は、第１の態様に係る発明において、前記工具本体の対向する一方面のみに照明部が取り付けられていることを要旨とする。
【手続補正５】
【補正対象書類名】明細書
【補正対象項目名】００１０
【補正方法】変更
【補正の内容】
【００１０】
第３の態様に係る発明は、第１又は第２の態様に係る発明において、前記工具本体の２股部に楔形部材が取り付けられていることを要旨とする。